(57)【特許請求の範囲】
【請求項１】
物体側から像側へ順に配置された、負の屈折力の第１レンズ群、正の屈折力の第２レンズ群、正の屈折力の第３レンズ群からなり、ズーミングに際して隣り合うレンズ群の間隔が変化するように全てのレンズ群が移動するズームレンズであって、
前記第２レンズ群は正レンズＡを含み、
波長４８６．１３ｎｍの光に対する材料の屈折率をｎＦ、波長５８７．６ｎｍの光に対する材料の屈折率をｎｄ、波長６５６．２７ｎｍの光に対する材料の屈折率をｎＣ、波長１０１３．９８ｎｍの光に対する材料の屈折率をｎｔとし、材料のアッベ数νｄと部分分散比θＣｔをそれぞれ
νｄ＝（ｎｄ−１）／（ｎＦ−ｎＣ）
θＣｔ＝（ｎＣ−ｎｔ）／（ｎＦ−ｎＣ）
とし、
前記正レンズＡの材料のアッベ数をνｄＡ、部分分散比をθＣｔＡ、前記第１レンズ群の焦点距離をｆ１、前記第２レンズ群の焦点距離をｆ２とするとき、
８５．０＜νｄＡ
−０．２５＜θＣｔＡ−（０．００４７×νｄＡ＋０．５４６）＜−０．１０
−０．８５＜ｆ１／ｆ２＜−０．３５
なる条件式を満足することを特徴とするズームレンズ。
【請求項２】
前記第３レンズ群の焦点距離をｆ３とするとき、
０．７５＜ｆ２／ｆ３＜１．５０
なる条件式を満足することを特徴とする請求項１に記載のズームレンズ。
【請求項３】
前記第１レンズ群は２枚以上の負レンズを含み、前記第１レンズ群の光軸上の厚さを１ＧＬとするとき、
１．３＜１ＧＬ／｜ｆ１｜＜２．４
なる条件式を満足することを特徴とする請求項１又は２に記載のズームレンズ。
【請求項４】
前記第２レンズ群は２枚以上の正レンズを含み、前記第２レンズ群の光軸上の厚さを２ＧＬとするとき、
０．４５＜２ＧＬ／ｆ２＜０．９５
なる条件式を満足することを特徴とする請求項１乃至３のいずれか１項に記載のズームレンズ。
【請求項５】
フォーカシングに際して前記第３レンズ群が移動し、前記第３レンズ群の焦点距離をｆ３、広角端における全系の焦点距離をｆｗとするとき、
３．２＜ｆ３／ｆｗ＜７．０
なる条件式を満足することを特徴とする請求項１乃至４のいずれか１項に記載のズームレンズ。
【請求項６】
前記第２レンズ群は、物体側から連続して配置された２枚の正レンズを含み、該２枚の正レンズのうち物体側に配置された正レンズは、非球面形状のレンズ面を有し、前記２枚の正レンズの材料のアッベ数の平均値をνｄ２ｐＡＶＥとするとき、
７０＜νｄ２ｐＡＶＥ
なる条件式を満足することを特徴とする請求項１乃至５のいずれか１項に記載のズームレンズ。
【請求項７】
広角端における全系の焦点距離をｆｗ、広角端におけるレンズ全長をＯＡＬｗとするとき、
０．０３４＜ｆｗ／ＯＡＬｗ＜０．０６０
なる条件式を満足することを特徴とする請求項１乃至６のいずれか１項に記載のズームレンズ。
【請求項８】
広角端から望遠端へのズーミングにおける前記第２レンズ群の移動量をＭ２、広角端における全系の焦点距離をｆｗ、望遠端における全系の焦点距離をｆｔとするとき、
０．６＜｜Ｍ２｜／√（ｆｗ×ｆｔ）＜１．３
なる条件式を満足することを特徴とする請求項１乃至７のいずれか１項に記載のズームレンズ。
【請求項９】
広角端から望遠端へのズーミングに際して前記第３レンズ群は物体側へ移動し、広角端から望遠端へのズーミングにおける前記第３レンズ群の移動量をＭ３、広角端における全系の焦点距離をｆｗ、望遠端における全系の焦点距離をｆｔとするとき、
０．８＜｜Ｍ３｜／√（ｆｗ×ｆｔ）＜１．６
なる条件式を満足することを特徴とする請求項１乃至８のいずれか１項に記載のズームレンズ。
【請求項１０】
前記第１レンズ群は、物体側から像側へ順に配置された、負レンズ、負レンズ、負レンズと正レンズが接合されて成る接合レンズより構成されることを特徴とする請求項１乃至９のいずれか１項に記載のズームレンズ。
【請求項１１】
前記第１レンズ群は、物体側から像側へ順に配置された、負レンズ、負レンズ、両凸形状の正レンズ、負レンズと正レンズが接合されて成る接合レンズより構成されることを特徴とする請求項１乃至９のいずれか１項に記載のズームレンズ。
【請求項１２】
前記第２レンズ群は、物体側から像側へ順に配置された、正レンズ、正レンズと負レンズが接合されて成る接合レンズ、正レンズより構成されることを特徴とする請求項１乃至１１のいずれか１項に記載のズームレンズ。
【請求項１３】
前記第２レンズ群は、物体側から像側へ順に配置された、正レンズ、正レンズと負レンズと正レンズが接合されて成る接合レンズより構成されることを特徴とする請求項１乃至１１のいずれか１項に記載のズームレンズ。
【請求項１４】
前記第２レンズ群は、物体側から像側へ順に配置された、正レンズ、正レンズ、負レンズと正レンズが接合されて成る接合レンズより構成されることを特徴とする請求項１乃至１１のいずれか１項に記載のズームレンズ。
【請求項１５】
前記第２レンズ群は、物体側から像側へ順に配置された、正レンズ、正レンズと負レンズが接合されて成る接合レンズより構成されることを特徴とする請求項１乃至１１のいずれか１項に記載のズームレンズ。
【請求項１６】
前記第３レンズ群は、正レンズより構成されることを特徴とする請求項１乃至１５のいずれか１項に記載のズームレンズ。
【請求項１７】
前記第３レンズ群は、負レンズと正レンズが接合されて成る接合レンズより構成されることを特徴とする請求項１乃至１５のいずれか１項に記載のズームレンズ。
【請求項１８】
請求項１乃至１７のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズに関し、特に、監視カメラ、デジタルカメラ、ビデオカメラ、放送用カメラ等の撮像装置に用いる撮像光学系として好適なものである。
【背景技術】
【０００２】
固体撮像素子を用いた撮像装置に用いる撮像光学系には、固体撮像素子の高精細化に加え、これに対応できる高い光学性能を有し、かつ広域撮影が容易な広画角のズームレンズであることが要望されている。特に高画質化の観点においては、ＳＤ（Standard Definition）画質からメガピクセル、フルＨＤ（High Definition）画質やそれ以上の画素数の撮像素子への対応が十分できる高い光学性能を有すること等が要望されている。
【０００３】
また近年、監視カメラ市場の急速な拡大に伴い監視カメラに用いられるズームレンズは、広画角であり、Ｆｎｏが小さいことが求められている。一般的な監視カメラは、昼間の撮影には可視光を使用し、夜間の撮影には近赤外光を使用している。
【０００４】
例えば監視カメラにおいては、多くの場合、夜間の撮影では波長８００ｎｍ〜波長１０００ｎｍの近赤外光を利用して低照度下での撮影が容易となるようにしている。このため、監視カメラに用いられるズームレンズには、可視光（波長４００ｎｍ〜波長７００ｎｍ程度）から近赤外領域までの広い波長範囲で色収差が良好に補正され、ピントずれが少ないこと等が要望されている。
【０００５】
更に、屋内および屋外において、場所を選ばず設置しやすくするために、特に全系が小型であることも要望されている。これらの要望を満足するズームレンズとして、最も物体側に負の屈折力のレンズ群が配置されたネガティブリード型のズームレンズが知られている。ネガティブリード型のズームレンズとして、物体側より像側へ順に、負、正、正の屈折力の第１レンズ群乃至第３レンズ群より構成され、ズーミングに際して隣り合うレンズ群の間隔が変化する３群ズームレンズが知られている（特許文献１，２）。
【先行技術文献】
【特許文献】
【０００６】
【特許文献１】特開２０１２−２２０８０号公報
【特許文献２】特開２０１１−２５７６２５号公報
【発明の概要】
【発明が解決しようとする課題】
【０００７】
前述したネガティブリード型の３群ズームレンズにおいて、全系が小型で、かつ広画角でありながら全ズーム領域にわたり高い光学性能を得るには各レンズ群のレンズ構成を適切に設定することが重要になってくる。特に監視カメラに用いられるズームレンズでは、可視域から近赤外域までの広い波長範囲にわたり、色収差が良好に補正されピントずれが少なくなるようにレンズ構成を設定することが重要になってくる。
【０００８】
例えば、広い波長範囲において色収差を良好に補正し、ピントずれが少なくなるようにするには、第２レンズ群のレンズ構成及び第２レンズ群に用いるレンズの材料等を適切に設定することが重要になってくる。これらの構成が不適切であると、全系の小型化を図りつつ、広画角で、広い波長範囲にわたり高い光学性能のズームレンズを得るのが大変困難になってくる。
【０００９】
本発明は、レンズ系全体が小型で、広画角で、しかも全ズーム範囲において高い光学性能が容易に得られるズームレンズ及びそれを有する撮像装置の提供を目的とする。
【課題を解決するための手段】
【００１０】
本発明のズームレンズは、物体側から像側へ順に配置された、負の屈折力の第１レンズ群、正の屈折力の第２レンズ群、正の屈折力の第３レンズ群からなり、ズーミングに際して隣り合うレンズ群の間隔が変化するように全てのレンズ群が移動するズームレンズであって、
前記第２レンズ群は正レンズＡを含み、
波長４８６．１３ｎｍの光に対する材料の屈折率をｎＦ、波長５８７．６ｎｍの光に対する材料の屈折率をｎｄ、波長６５６．２７ｎｍの光に対する材料の屈折率をｎＣ、波長１０１３．９８ｎｍの光に対する材料の屈折率をｎｔとし、材料のアッベ数νｄと部分分散比θＣｔをそれぞれ
νｄ＝（ｎｄ−１）／（ｎＦ−ｎＣ）
θＣｔ＝（ｎＣ−ｎｔ）／（ｎＦ−ｎＣ）
とし、
前記正レンズＡの材料のアッベ数をνｄＡ、部分分散比をθＣｔＡ、前記第１レンズ群の焦点距離をｆ１、前記第２レンズ群の焦点距離をｆ２とするとき、
８５．０＜νｄＡ
−０．２５＜θＣｔＡ−（０．００４７×νｄＡ＋０．５４６）＜−０．１０
−０．８５＜ｆ１／ｆ２＜−０．３５
なる条件式を満足することを特徴としている。
【発明の効果】
【００１１】
本発明によれば、レンズ系全体が小型で、広画角で、しかも全ズーム範囲において高い光学性能が容易に得られるズームレンズ及びそれを有する撮像装置が得られる。
【図面の簡単な説明】
【００１２】
【図１】実施例１の広角端におけるレンズ断面と移動軌跡の図
【図２】（Ａ）、（Ｂ）、（Ｃ）  実施例１の広角端、中間ズーム位置、望遠端における収差図
【図３】実施例２の広角端におけるレンズ断面と移動軌跡の図
【図４】（Ａ）、（Ｂ）、（Ｃ）  実施例２の広角端、中間ズーム位置、望遠端における収差図
【図５】実施例３の広角端におけるレンズ断面と移動軌跡の図
【図６】（Ａ）、（Ｂ）、（Ｃ）  実施例３の広角端、中間ズーム位置、望遠端における収差図
【図７】実施例４の広角端におけるレンズ断面と移動軌跡の図
【図８】（Ａ）、（Ｂ）、（Ｃ）  実施例４の広角端、中間ズーム位置、望遠端における収差図
【図９】実施例１における広角端、中間ズーム位置、望遠端での光路図
【図１０】本発明の監視カメラ（撮像装置）の要部概略図
【発明を実施するための形態】
【００１３】
以下、本発明のズームレンズ及びそれを有する撮像装置を図面に基づいて説明する。本発明のズームレンズは、物体側から像側へ順に、負の屈折力の第１レンズ群、正の屈折力の第２レンズ群、正の屈折力の第３レンズ群より構成されている。ズーミングに際して隣り合うレンズ群の間隔が変化するように各レンズ群が移動する。
【００１４】
図１は本発明の実施例１のズームレンズの広角端（短焦点距離端）におけるレンズ断面図である。図２（Ａ）、（Ｂ）、（Ｃ）は本発明の実施例１のズームレンズの広角端、中間のズーム位置、望遠端（長焦点距離端）における収差図である。
【００１５】
実施例１はズーム比２．３０、Ｆナンバー１．２４〜１．８１のズームレンズである。図３は本発明の実施例２のズームレンズの広角端におけるレンズ断面図である。図４（Ａ）、（Ｂ）、（Ｃ）は本発明の実施例２のズームレンズの広角端、中間のズーム位置、望遠端における収差図である。実施例２はズーム比２．３１、Ｆナンバー１．２４〜１．８４のズームレンズである。
【００１６】
図５は本発明の実施例３のズームレンズの広角端におけるレンズ断面図である。図６（Ａ）、（Ｂ）、（Ｃ）は本発明の実施例３のズームレンズの広角端、中間のズーム位置、望遠端における収差図である。実施例３はズーム比２．４１、Ｆナンバー１．２４〜１．９０のズームレンズである。
【００１７】
図７は本発明の実施例４のズームレンズの広角端におけるレンズ断面図である。図８（Ａ）、（Ｂ）、（Ｃ）は本発明の実施例４のズームレンズの広角端、中間のズーム位置、望遠端における収差図である。実施例４はズーム比２．３２、Ｆナンバー１．２３〜１．７５のズームレンズである。
【００１８】
図９（Ａ）、（Ｂ）、（Ｃ）は実施例１のズームレンズの広角端、中間のズーム位置、望遠端における光路図である。図１０は本発明のズームレンズを有する監視カメラ（撮像装置）の要部概略図である。
【００１９】
各実施例のズームレンズは撮像装置に用いられる撮像光学系であり、レンズ断面図において、左方が物体側（前方）で、右方が像側（後方）である。尚、各実施例のズームレンズをプロジェクター等の光学機器に用いても良く、このときは、左方がスクリーン、右方が被投影画像となる。レンズ断面図において、ＬＯはズームレンズである。Ｌ１は負の屈折力（光学的パワー＝焦点距離の逆数）の第１レンズ群、Ｌ２は正の屈折力の第２レンズ群、Ｌ３は正の屈折力の第３レンズ群である。
【００２０】
ＳＰは開放Ｆナンバー（Ｆｎｏ）光束を決定（制限）する開口絞りの作用をするＦナンバー決定部材（以下「開口絞り」ともいう。）である。  Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２１】
矢印は広角端から望遠端へのズーミングに際しての各レンズ群の移動軌跡を示している。第３レンズ群Ｌ３に関する矢印３ａは無限遠にフォーカスしているときの広角端から望遠端へのズーミングに際しての移動軌跡を示す。また矢印３ｂは近距離にフォーカスしているときの広角端から望遠端へのズーミングに際しての移動軌跡を示す。第３レンズ群Ｌ３に関する矢印３ｃは無限遠から近距離へのフォーカシングに際しての移動方向を示している。
【００２２】
球面収差においては、ｄ線（波長５８７．６ｎｍ）、Ｃ線（波長６５６．３ｎｍ）、Ｆ線（波長４８６．１３ｎｍ）、波長８５０ｎｍ、ｔ線（波長１０１３．９８ｎｍ）を表示している。非点収差においてΔＭはメリディオナル像面、ΔＳはサジタル像面を表している。歪曲収差においてはｄ線を表示している。倍率色収差においてはd線に対するＣ線、
Ｆ線、波長８５０ｎｍ、ｔ線の収差を表示している。ＦｎｏはＦナンバー、ωは半画角（度）である。
【００２３】
本発明は、全系が小型でありながら全ズーム範囲にわたり高い光学性能を有し、特に可視光から近赤外光に至る広い波長範囲においてピントずれの少ない、広画角で明るい小型のズームレンズである。本発明のズームレンズは、物体側より像側へ順に、負の屈折力の第１レンズ群Ｌ１、正の屈折力の第２レンズ群Ｌ２、および正の屈折力の第３レンズ群Ｌ３より構成される３群構成のズームレンズである。広角端から望遠端へのズーミングに際しては各レンズ群が矢印の方向に互いに異なった軌跡で移動する。
【００２４】
本発明のズームレンズのズームタイプは、ネガティブリード（負レンズ群先行）の３群構成である。第１レンズ群Ｌ１を負の屈折力としつつ、各レンズ群の間隔を変化させることによりズーミングを行い、広画角化に好適な構成としている。第２レンズ群Ｌ２と、第３レンズ群Ｌ３が互いに異なった軌跡で移動して変倍を行い、それに伴う像面変動を最も物体側の第１レンズ群Ｌ１が移動して補正している。フォーカシングは、第３レンズ群Ｌ３で行う。
【００２５】
各実施例において、波長４８６．１３ｎｍの光に対する材料の屈折率をｎＦ、波長５８７．６ｎｍの光に対する材料の屈折率をｎｄ、波長６５６．２７ｎｍの光に対する材料の屈折率をｎＣ、波長１０１３．９８ｎｍの光に対する材料の屈折率をｎｔとする。材料のアッベ数νｄと部分分散比θＣｔをそれぞれ、
νｄ＝（ｎｄ−１）／（ｎＦ−ｎＣ）
θＣｔ＝（ｎＣ−ｎｔ）／（ｎＦ−ｎＣ）
とする。
【００２６】
このとき、第２レンズ群Ｌ２は正レンズを含み、第２レンズ群Ｌ２に含まれる正レンズの材料のアッベ数をνｄＡ、部分分散比をθＣｔＡとする。このとき第２レンズ群Ｌ２は、
８５．０＜νｄＡ      ・・・（１）
−０．２５＜θＣｔＡ−（０．００４７×νｄＡ＋０．５４６）＜−０．１０
・・・（２）
なる条件式を満足する正レンズＡを有する。
【００２７】
そして、第１レンズ群Ｌ１の焦点距離をｆ１、第２レンズ群Ｌ２の焦点距離をｆ２とするとき、
−０．８５＜ｆ１／ｆ２＜−０．３５        ・・・（３）
なる条件式を満足する。尚、各パラメータの値は、特に断りがない限り、ｄ線（波長５８７．６ｎｍ）における値である。
【００２８】
次に前述の各条件式の技術的意味について説明する。条件式（１）、（２）は、全ズーム範囲にわたり、可視光から近赤外光までの広い波長範囲においてピントずれを軽減し、高い光学性能を得るためのものである。広い波長範囲においてピントずれを補正するには、軸上光束のマージナル光線が高い正レンズの材料にアッベ数が大きい、すなわち分散が小さい材料を用いて、軸上色収差を軽減するのが良い。
【００２９】
各実施例の３群構成のズームレンズでは、図９（Ａ），（Ｂ），（Ｃ）に示すように全ズーム範囲において軸上光束のマージナル光線は第２レンズ群Ｌ２で光線の入射高さ（ｈｗ）が高くなる。条件式（１）、（２）は第２レンズ群Ｌ２が有する少なくとも１つの正レンズＡの材料の光学特性を規定している。
【００３０】
ところでアッベ数νｄは可視光域のｄ線、Ｆ線、Ｃ線の屈折率ｎｄ、ｎＦ、ｎＣを用い前述の如く定義される。そのためアッベ数νｄを基準にレンズの材料を選択することで、可視光域で色収差の補正が容易となる。しかしながらアッベ数νｄは、近赤外域の特性を規定するものではないので、アッベ数νｄの値のみでレンズの材料を選定しても、波長が９００ｎｍ以上の近赤外域に対しては必ずしも色収差を良好に補正することができない。
【００３１】
そこでアッベ数νｄに加えてｔ線における部分分散比θＣｔに着目してレンズの材料を選択することで、可視光域と近赤外域との両方の波長範囲で軸上色収差の制御を行い、広い波長範囲でピントずれを軽減している。またこのような材料を選定することで、近赤外域の倍率色収差の補正も良好に行っている。
【００３２】
条件式（１）と条件式（２）は第２レンズ群Ｌ２が有する少なくとも１枚の正レンズＡの材料の特性を規定するものである。条件式（１）の下限を超えてアッベ数が小さい（すなわち分散が大きい）材料を適用すると、可視光域での軸上色収差を良好に補正することが困難となる。
【００３３】
条件式（２）の下限を超えた部分分散比θＣｔとアッベ数νｄの関係を持つ材料は、近赤外域での軸上色収差を小さく抑制することが容易となるが、現状ではこのような特性を実現する光学材料を製造するのが困難である。逆に条件式（２）の上限を超えて部分分散 
比θＣｔＡが大きくなりすぎると、近赤外域での波長による屈折率の差が大きくなりすぎ、軸上色収差の補正が困難となる。
【００３４】
条件式（３）は、変倍用のレンズ群の１つである第２レンズ群Ｌ２の焦点距離と、広画角化のために比較的強い負の屈折力が必要とされる第１レンズ群Ｌ１の焦点距離の関係を設定したものである。
【００３５】
また、第１レンズ群Ｌ１は広画角化しやすくするため、負レンズを少なくとも２枚以上有するレンズ構成とし、第２レンズ群Ｌ２は、正の屈折力のレンズ群として変倍作用を持たせやすくするために２枚以上の正レンズを有するレンズ構成としている。さらに第１レンズ群Ｌ１と第２レンズ群Ｌ２は、収差補正のバランスをとりやすくするために正レンズと、負レンズどちらも有するレンズ構成としている。
【００３６】
条件式（３）の上限値を超えて、第１レンズ群Ｌ１の負の屈折力が強くなると（負の屈折力の絶対値が大きくなると）像面湾曲や色収差をバランス良く補正するのが困難になる。加えて、条件式（３）の上限を超えることは、第２レンズ群Ｌ２の正の屈折力が小さくなる傾向にもなり得る。これにより第２レンズ群Ｌ２の正の屈折力が小さくなりすぎ変倍のための第２レンズ群Ｌ２の移動量が増大し、レンズ全長が長くなり、また前玉有効径が大型化してくる。
【００３７】
条件式（３）の下限値を超えて、第１レンズ群Ｌ１の負の屈折力が弱くなると（負の屈折力の絶対値が小さくなると）ズーミングに際しての像面変動の補正として第１レンズ群Ｌ１の移動量が増大し、レンズ全長が長くなり、前玉有効径が大型化してくる。加えて、条件式（３）の下限値を超えることは、第２レンズ群Ｌ２の正の屈折力が強くなる傾向にもなり得る。それにより球面収差などの諸収差が増加してくる。
【００３８】
更に好ましくは条件式（１）乃至（３）の数値範囲を以下の如く設定するのが好ましい。
９０．０＜νｄＡ      ・・・（１ａ）
−０．２２＜θＣｔＡ−（０．００４７×νｄＡ＋０．５４６）＜−０．０８
・・・（２ａ）
−０．７８＜ｆ１／ｆ２＜−０．４２        ・・・（３ａ）
【００３９】
本発明の目的とするズームレンズは、以上のような構成を満足することにより実現される。さらには各実施例において、好ましくは次の諸条件のうちの１以上を満足するのが良い。
【００４０】
第３レンズ群Ｌ３の焦点距離をｆ３とする。第１レンズ群Ｌ１は、２枚以上の負レンズを含み、第１レンズ群Ｌ１の光軸上の厚さを１ＧＬとする。第２レンズ群Ｌ２は２枚以上の正レンズを含み、第２レンズ群Ｌ２の光軸上の厚さを２ＧＬとする。フォーカシングに際して、第３レンズ群Ｌ３が移動し、広角端における全系の焦点距離をｆｗとする。第２レンズ群Ｌ２は物体側から連続して配置された２枚の正レンズを有し、このうち物体側に配置された正レンズは、非球面形状のレンズ面を有し、２つの正レンズの材料のアッベ数の平均値をνｄ２ｐＡＶＥとする。
【００４１】
広角端におけるレンズ全長をＯＡＬｗとする。広角端から望遠端へのズーミングにおける第２レンズ群Ｌ２の移動量をＭ２とする。望遠端における全系の焦点距離をｆｔとする。広角端から望遠端へのズーミングに際して第３レンズ群Ｌ３は物体側へ移動し、広角端から望遠端へのズーミングにおける第３レンズ群Ｌ３の移動量をＭ３とする。ここで移動量の符号は広角端から望遠端へのズーミングによって移動した結果、その位置が広角端に比べて望遠端において物体側に位置するときを負、像側に位置する時を正とする。
【００４２】
このとき次の条件式のうち１つ以上を満足するのが良い。
０．７５＜ｆ２／ｆ３＜１．５０              ・・・（４）
１．３＜１ＧＬ／｜ｆ１｜＜２．４            ・・・（５）
０．４５＜２ＧＬ／ｆ２＜０．９５            ・・・（６）
３．２＜ｆ３／ｆｗ＜７．０                  ・・・（７）
７０＜νｄ２ｐＡＶＥ                          ・・・（８）
０．０３４＜ｆｗ／ＯＡＬｗ＜０．０６０      ・・・（９）
０．６＜｜Ｍ２｜／√（ｆｗ×ｆｔ）＜１．３  ・・・（１０）
０．８＜｜Ｍ３｜／√（ｆｗ×ｆｔ）＜１．６  ・・・（１１）
【００４３】
次に前述の各条件式の技術的意味について説明する。各実施例において第２レンズ群Ｌ２および第３レンズ群Ｌ３は、ズーム全域において高い光学性能が得やすくするためにズーミングに際してそれぞれ独立に移動させている。条件式（４）は、そのための双方の屈折力の関係を適切に設定している。
【００４４】
条件式（４）の下限値を超えて、第２レンズ群Ｌ２の正の屈折力が強くなりすぎると、特に球面収差やコマ収差などの諸収差が増加し、これらの諸収差を第３レンズ群Ｌ３で補正するのが困難になる。条件式（４）の上限値を超えて、第３レンズ群Ｌ３の正の屈折力が強くなりすぎると、第２レンズ群Ｌ２と諸収差の補正をバランス良く行うのが困難になる。
【００４５】
条件式（５）は第１レンズ群Ｌ１が２枚以上の負レンズを含んでいるときの光軸上の厚さに関する。この他条件式（５）は、広画角化のために比較的強い負の屈折力が必要とされる第１レンズ群Ｌ１の屈折力に対する、全系の小型化のための第１レンズ群Ｌ１の光軸上の厚さの比に関する。条件式（５）の上限値を超えて、第１レンズ群Ｌ１の負の屈折力が強くなりすぎると、非点収差や像面湾曲などの諸収差が増加してくる。条件式（５）の下限値を超えて、第１レンズ群Ｌ１の負の屈折力が弱くなりすぎると、広画角化が困難となり好ましくない。
【００４６】
条件式（６）は第２レンズ群Ｌ２が、２枚以上の正レンズを含み、そのときの光軸上の厚さに関する。特に条件式（６）は、変倍のために比較的強い正の屈折力が必要とされる第２レンズ群Ｌ２の焦点距離に対し、全系の小型化のための第２レンズ群Ｌ２の光軸上の厚さの比に関する。条件式（６）の上限値を超えて、第２レンズ群Ｌ２の正の屈折力が強くなりすぎると、球面収差などの緒収差が増加してくる。条件式（６）の下限値を超えて、第２レンズ群Ｌ２の正の屈折力が弱くなりすぎると、ズーミングに際して第２レンズ群Ｌ２の移動量が増大し、レンズ全長が増大し、全系の小型化が困難になる。
【００４７】
条件式（７）は、ズーミングやフォーカシングに際して移動する第３レンズ群Ｌ３の屈折力を適切に設定するものである。条件式（７）の下限値を超えて、第３レンズ群Ｌ３の正の屈折力が強くなり過ぎると、非点収差などの軸外収差や像面湾曲が増加してくる。さらに第３レンズ群Ｌ３で無限遠から至近までのフォーカシングに際しての収差変動が増大してくるので好ましくない。条件式（７）の上限値を超えて、第３レンズ群Ｌ３の正の屈折力が弱くなり過ぎると、ズーミング及びフォーカシングに際して第３レンズ群Ｌ３の移動量が増大し、全系の小型化が困難になってくる。
【００４８】
第２レンズ群Ｌ２は２枚の正レンズを有する。条件式（８）はこのときの２枚の正レンズの材料のアッベ数の平均値νｄ２ｐＡＶＥに関し、可視光から近赤外光までの広い波長域においてピントずれを軽減するためのものである。波長の違いによるピントずれは、いわゆる軸上色収差の影響で発生する。ここで、各レンズ面への軸上光束の入射高は第２レンズ群Ｌ２の物体側のレンズ面が最も高くなる。条件式（８）はこの箇所において適切な材料のレンズを使用することにより軸上色収差を効果的に補正するためのものである。
【００４９】
条件式（８）の下限値を超えると、色収差の補正が不足することになり可視光から近赤外光までの波長域においてピントずれが大きくなってしまい好ましくない。各実施例ではＦナンバーＦｎｏを小さく（明るく）した時に発生しやすい球面収差を補正するために第２レンズ群Ｌ２の最も物体側に非球面を有するレンズを配置している。
【００５０】
条件式（９）は、全系の小型化を図りつつ、広画角化を達成するためのものである。条件式（９）の上限値を超えると、第１レンズ群Ｌ１の負の屈折力が弱くなりすぎてしまい、全系の小型化を図りつつ、広画角化を達成するのが困難となってくる。条件式（９）の下限値を超えると、第１レンズ群Ｌ１の負の屈折力が強くなりすぎてしまい、非点収差や像面湾曲等の諸収差が増大してくる。
【００５１】
条件式（１０）は、変倍用のレンズ群の一つである第２レンズ群Ｌ２のズーミングに際しての移動量に関する。条件式（１０）の上限値を超えて、第２レンズ群Ｌ２の移動量が増大すると、レンズ全長が増大し、全系の小型化が困難になる。条件式（１０）の下限値を超えて、第２レンズ群Ｌ２の移動量が少なくなると所定の変倍比を得るために第２レンズ群Ｌ２の正の屈折力を強める必要が生じ、球面収差などの諸収差が増大してくるので好ましくない。第３レンズ群Ｌ３は広角端から望遠端へのズーミングに際して物体側へ移動する。
【００５２】
条件式（１１）は、このときの変倍用のレンズ群の一つである第３レンズ群Ｌ３のズーミングに際しての移動量に関する。第３レンズ群Ｌ３は、第２レンズ群Ｌ２と合わせて物体側へ移動することにより変倍レンズ群としての役割を担っている。条件式（１１）の上限値を超えて、第３レンズ群Ｌ３の移動量が増大すると、レンズ全長が長くなり、全系の小型化が困難になる。条件式（１１）の下限値を超えて、第３レンズ群Ｌ３の移動量が短くなると、所定の変倍比を得るために第３レンズ群Ｌ３の正の屈折力を強める必要が生じ、コマ収差などの諸収差が増大してくるので好ましくない。
【００５３】
更に好ましくは条件式（４）乃至（１１）の数値範囲を次の如く設定するのが良い。
０．９０＜ｆ２／ｆ３＜１．４０              ・・・（４ａ）
１．５＜１ＧＬ／｜ｆ１｜＜２．３            ・・・（５ａ）
０．５０＜２ＧＬ／ｆ２＜０．８０            ・・・（６ａ）
３．８＜ｆ３／ｆｗ＜６．５                  ・・・（７ａ）
７４．０＜νｄ２ｐＡＶＥ                      ・・・（８ａ）
０．０３８＜ｆｗ／ＯＡＬｗ＜０．０５５      ・・・（９ａ）
０．８＜｜Ｍ２｜／√（ｆｗ×ｆｔ）＜１．２  ・・・（１０ａ）
０．９＜｜Ｍ３｜／√（ｆｗ×ｆｔ）＜１．４  ・・・（１１ａ）
【００５４】
各実施例において、第１レンズ群Ｌ１は物体側から像側へ順に、負レンズ、負レンズ、負レンズと正レンズを接合した接合レンズより構成されている。または、第１レンズ群Ｌ１は物体側から像側へ順に、負レンズ、負レンズ、両凸形状の正レンズ、負レンズと正レンズを接合した接合レンズより構成されている。
【００５５】
第２レンズ群Ｌ２は物体側から像側へ順に、正レンズ、正レンズと負レンズを接合した接合レンズ、正レンズより構成されている。または第２レンズ群Ｌ２は物体側から像側へ順に、正レンズ、正レンズと負レンズと正レンズを接合した接合レンズより構成されている。または第２レンズ群Ｌ２は物体側から像側へ順に、正レンズ、正レンズ、負レンズと正レンズを接合した接合レンズより構成されている。または第２レンズ群Ｌ２は物体側から像側へ順に、正レンズ、正レンズと負レンズを接合した接合レンズより構成されている。
【００５６】
第３レンズ群Ｌ３は正レンズより構成されている。または第３レンズ群Ｌ３は負レンズと正レンズを接合した接合レンズより構成されている。
【００５７】
以上の如く構成することにより、全ズーム範囲にわたり高い光学性能を得ている。開口絞りＳＰは第２レンズ群Ｌ２の物体側に位置するが、ズーミングに際して独立に可動な構成としている。これにより各ズームポジションにおいてそれぞれ適切に光線をカットし、コマ収差を良好に補正している。
【００５８】
以下、各実施例の具体的なレンズ構成について説明する。以下、レンズ構成は特に断りがない限り、物体側から像側へ順に配置されているものとして説明する。
【００５９】
（実施例１）
第１レンズ群Ｌ１は、物体側に凸面を向けたメニスカス形状の負レンズＧ１１、両凹形状の負レンズＧ１２、物体側に凸面を向けたメニスカス形状の負レンズＧ１３、物体側に凸面を向けたメニスカス形状の正レンズＧ１４より成っている。負レンズＧ１３と正レンズＧ１４は接合されている。負レンズＧ１１には、屈折率が２．０を超える高屈折率の材料を使い、強い負の屈折力として広画角化を図っている。正レンズＧ１４には高分散材料を使用することにより色収差を良好に補正している。
【００６０】
第２レンズ群Ｌ２は、両凸形状の正レンズＧ２１、両凸形状の正レンズＧ２２、両凹形状の負レンズＧ２３、物体側に凸面を向けたメニスカス形状の正レンズＧ２４により成っている。正レンズＧ２２と負レンズＧ２３は接合されており、双方のレンズの材料の、アッベ数の差を大きくとることにより色収差を良好に補正している。また、正レンズＧ２１の両レンズ面は非球面形状である。正レンズＧ２２にはアッベ数が９０を超える超低分散材料を使用しており、これにより可視光域から近赤外域までの広い波長域にわたり軸上色収差を良好に補正している。
【００６１】
第３レンズ群Ｌ３は、物体側に凸面を向けたメニスカス形状の正レンズＧ３１により成っている。正レンズＧ３１は、両レンズ面が非球面形状であり、これにより非点収差などの軸外収差を良好に補正している。
【００６２】
（実施例２）
第１レンズ群Ｌ１のレンズ構成は実施例１と同じである。第２レンズ群Ｌ２は、両凸形状の正レンズＧ２１、両凸形状の正レンズＧ２２、両凹形状の負レンズＧ２３、物体側に凸面を向けたメニスカス形状の正レンズＧ２４により成っている。正レンズＧ２２、負レンズＧ２３、および正レンズＧ２４は接合されている。正レンズＧ２１の両レンズ面は非球面形状である。第３レンズ群Ｌ３のレンズ構成は、実施例１と同じである。
【００６３】
（実施例３）
第１レンズ群Ｌ１のレンズ構成は実施例１と同じである。第２レンズ群Ｌ２は、両凸形状の正レンズＧ２１、両凸形状の正レンズＧ２２、両凹形状の負レンズＧ２３、物体側に凸面を向けたメニスカス形状の正レンズＧ２４により成っている。負レンズＧ２３および正レンズＧ２４接合されている。正レンズＧ２１の両レンズ面は非球面形状である。第３レンズ群Ｌ３のレンズ構成は、実施例１と同じである。
【００６４】
（実施例４）
第１レンズ群Ｌ１は物体側に凸面を向けたメニスカス形状の負レンズＧ１１、物体側に凸面を向けたメニスカス形状の負レンズＧ１２、両凸形状の正レンズＧ１３より成っている。更に、両凹形状の負レンズＧ１４、物体側に凸面を向けたメニスカス形状の正レンズＧ１５より成っている。負レンズＧ１４と正レンズＧ１５は接合されている。負レンズＧ１２の両レンズ面は非球面形状であり、歪曲収差を良好に補正している。
【００６５】
第２レンズ群Ｌ２は、両凸形状の正レンズＧ２１、両凸形状の正レンズＧ２２、両凹形状の負レンズＧ２３により成っている。負レンズＧ２２および正レンズＧ２３は接合されている。正レンズＧ２１の両レンズ面は非球面形状である。第３レンズ群Ｌ３は、物体側に凸面を向けたメニスカス形状の負レンズＧ３１、物体側に凸面を向けたメニスカス形状の正レンズＧ３２により成っている。負レンズＧ３１および正レンズＧ３２は接合されている。正レンズＧ３２の像側のレンズ面は非球面形状である。
【００６６】
以上のように各実施例によれば、全系が小型でありながら全ズーム範囲にわたり高い光学性能を有し、かつ可視光から近赤外光においてピントずれの少ない、広画角で明るいズームレンズおよびそれを有する撮像装置が得られる。例えば全画角が１２０°以上、広角端のＦナンバーＦｎｏが１．２程度をカバーし、フルHDやそれ以上の画素数の撮像素子にも対応できる撮像装置が得られる。
【００６７】
なお各実施例においては以下のような手段をとっても良い。
・実施例に示したガラスの形状、枚数に限定されるものではなく適宜変更すること。
・変倍時において、開口絞りＳＰを固定もしくはズーミングに際して、他のレンズ群と独立に移動させること。
・非球面レンズの材料はガラスに限らず、球面レンズ面上に樹脂材料で非球面を形成した（非球面成分を乗せた）ハイブリッドタイプの非球面レンズや、プラスチック材料より成る非球面レンズを用いること。
【００６８】
・一部のレンズおよびレンズ群を光軸に対して垂直方向の成分を持つように移動させ、これにより手ぶれ等の振動に伴う像ブレを補正すること。
・撮像装置に用いるとき電気的な補正手段により、ズームレンズの歪曲収差や色収差を補正すること。
・第３レンズ群以外のレンズ群を動かすことによりフォーカシングを行うこと。
【００６９】
以上、本発明の好ましい実施形態について説明したが、本発明はこれらの実施形態や光学仕様（画角やＦｎｏ）に限定されず、その要旨の範囲内で種々の変形及び変更が可能である。
【００７０】
本発明のズームレンズは、形成された像を受光する固体撮像素子を有した撮像装置に用いている。近年はデジタル的に像を処理するためにCCD（Charge Coupled Device）やCMOS(Complementary Metal Oxide Semiconductor)などが主に使用されている。また本発明のズームレンズもこれに相当する固体撮像素子を有した撮像装置に用いられている。
【００７１】
次に本発明のズームレンズを撮影光学系として用いた監視カメラ（撮像装置）の実施例を、図１０を用いて説明する。図１０において、３０は監視カメラ本体、３１は実施例１乃至４で説明したいずれかのズームレンズによって構成された撮像光学系である。３２は、カメラ本体に内蔵され、撮像光学系３１によって形成された被写体像を受光するＣＣＤセンサやＣＭＯＳセンサ等の固体撮像素子（光電変換素子）である。高い解像力を得るためにフルHD（１９２０×１０８０）などの高精細な撮像素子を構成している。
【００７２】
３３は、固体撮像素子３２によって光電変換された被写体像に対応する情報を記録するメモリである。３４は、撮影した３２によって光電変換された被写体像を転送するためのネットワークケーブルである。
【００７３】
以上のように、各実施例によれば小型でありながら全ズーム範囲にわたり高い光学性能であり、可視光から近赤外光においてピントずれを抑制し、広画角で明るいズームレンズおよびそれを有する撮像装置を得ることができる。これら実施例は、最大画角２ωが１２０°以上、Ｆｎｏが１．２程度をカバーし、フルＨＤ以上の高画素な撮像素子に対応可能な小型のズームレンズおよびそれを有する撮像装置である。
【００７４】
次に、各実施例に対応する実施例の数値データを示す。各実施例の数値データにおいて面番号ｉは物体側から数えた光学面の順序を示す。ｒｉは第ｉ番目の光学面の曲率半径である。ｄｉは第ｉ番目と第ｉ＋１番目の面間隔である。ｎｄｉとνｄｉはそれぞれｄ線に対する光学部材の材料の屈折率、アッベ数を示す。部分分散比θＣｔは（ｎＣ−ｎｔ）／（ｎＦ−ｎＣ）で計算される数値である。＊は非球面を意味する。
【００７５】
バックフォーカス（ＢＦ）は、レンズ最終面から近軸像面までの空気換算距離である。レンズ全長は、レンズ最前面からレンズ最終面までの距離にバックフォーカス（ＢＦ）を加えた値と定義する。またＫを離心率、Ａ４、Ａ６、Ａ８、Ａ１０、Ａ１２を非球面係数、光軸からの高さＨの位置での光軸方向の変位を面頂点を基準にしてｘとするとき、非球面形状は、
【００７６】
【数１】
0006545002.tif 000002
【００７７】
で表示される。但しＲは曲率半径である。また例えば「ｅ−Ｚ」の表示は「１０−Ｚ」を意味する。また、各実施例における上述した条件式との対応を表１に示す。ｆは焦点距離（ｄ線）、ＦｎｏはＦナンバー、半画角（ω）に関しては、歪曲量を考慮した撮影可能画角に関する数値である。
【００７８】
［実施例１］
単位 mm
面データ                              
面番号   r        d        nd          νd     θＣｔ     
1     15.193     0.9     2.00100      29.1     0.6835     
2      6.518     6.93 
3    -19.198     0.6     1.59282      68.6     0.796     
4     22.592     0.73 
5     32.426     0.45    1.69895      30.1     0.6966     
6      8.535     2.9     1.94595      18.0     0.6319     
7     28.883     (可変) 
8(絞り)   ∞     (可変) 
9*     9.796     4.2     1.59201      67.0     0.8499     
10*  -35.715     0.15 
11     8.797     3.14    1.43875      94.9     0.8373     
12   -25.439     0.4     1.68893      31.1     0.6995     
13     6.128     0.4 
14     6.08      2.13    1.59282      68.6     0.796     
15     8.736     (可変) 
16*    6.193     3.4     1.55332      71.7     0.8164     
17*  220.717     (可変) 
18     ∞        1.7     1.51633      64.1     -     
19     ∞        0.67
像面
【００７９】
非球面データ                              
第9面                              
K  =-6.34322e-001  A 4= 3.01103e-005  A 6= 4.94887e-006 
A 8=-1.73940e-007  A10= 4.02943e-009                           
第10面                              
K  = 0.00000e+000  A 4= 1.38348e-004  A 6= 4.97780e-006 
A 8=-2.05255e-007  A10= 5.55060e-009                           
第16面                              
K  = 0.00000e+000  A 4= 3.80202e-005  A 6= 2.86108e-006 
A 8= 3.92446e-007  A10=-2.76685e-009  A12=-8.44640e-028   
第17面                              
K  = 0.00000e+000  A 4= 1.23294e-003  A 6= 5.48588e-005 
A 8=-2.64115e-006  A10= 2.36700e-007                         
【００８０】
各種データ                              
ズーム比       2.30                          
広角     中間     望遠               
焦点距離       2.59     4.32     5.95               
Fナンバー      1.24     1.52     1.81               
半画角（度）  70.8     40.7     29.2               
像高           3.04     3.04     3.04               
レンズ全長    52.45    43.62    41.49      
BF             4.55     7.21     9.56    
間隔          広角     中間     望遠               
d 7         15.55      6.72     4.60               
d 8          4.41      2.28     0.15               
d15          1.60      1.06     0.85               
d17          2.76      5.43     7.77               
各群焦点距離                              
1群     -6.83                         
2群     13.71                         
3群     11.45                         
【００８１】
［実施例２］
単位 mm
面データ                              
面番号   r        d        nd          νd     θＣｔ     
1     15.497     0.9     2.00100      29.1     0.6835     
2      6.79      7.1 
3    -22.334     0.6     1.59282      68.6     0.796     
4     17.343     1.02 
5     34.334     0.45    1.68893      31.1     0.6995     
6      9.149     3.0     2.00272      19.3     0.6315     
7     31.213     (可変) 
8(絞り)  ∞     (可変)
9*     8.854     4.2     1.59201      67.0     0.8499     
10*  -44.907     0.15 
11    10.209     2.74    1.43875      94.9     0.8373     
12   -57.777     0.4     1.68893      31.1     0.6995     
13     5.272     1.73    1.59282      68.6     0.796     
14     9.443     (可変) 
15*    5.539     3.4     1.55332      71.7     0.8164     
16*   29.154     (可変) 
17        ∞     1.7     1.51633      64.1     - 
18        ∞     0.60
像面 
【００８２】
非球面データ                              
第9面                              
K  =-7.28563e-001  A 4= 1.60037e-005  A 6= 4.06409e-006 
A 8=-1.81753e-007  A10= 3.43748e-009      
第10面                              
K  = 0.00000e+000  A 4= 1.11527e-004  A 6= 3.76311e-006 
A 8=-2.41163e-007  A10= 5.07980e-009                         
第15面                              
K  = 0.00000e+000  A 4= 1.32027e-004  A 6= 6.38206e-006 
A 8=-6.22902e-008  A10= 2.77300e-008  A12= 2.53514e-025  
第16面                              
K = 0.00000e+000   A 4= 1.76432e-003  A 6= 7.64146e-005 
A 8=-3.40910e-006  A10= 4.01662e-007                           
【００８３】
各種データ                              
ズーム比      2.31                          
広角     中間     望遠               
焦点距離        2.56      4.21     5.92               
Fナンバー       1.24      1.53     1.84               
半画角（度）   69.8      40.9     28.7               
像高            3.0       3.0      3.0              
レンズ全長     52.44     43.34    40.42               
BF              4.55      6.81     9.06               
間隔            広角     中間     望遠               
d7              16.7      7.6     4.68               
d8              3.81     1.98     0.15               
d14             1.70     1.26     0.85               
d16             2.83     5.09     7.34               
各群焦点距離                              
1群     -7.27                         
2群     14.18                         
3群     11.75                         
【００８４】
［実施例３］
単位 mm
面データ                              
面番号   r        d        nd          νd     θＣｔ     
1     19.748     0.9     2.00100      29.1     0.6835     
2      7.76      7.48 
3    -22.065     0.6     1.49700      81.5     0.8258     
4     16.334     1.62 
5     21.817     0.45    1.69895      30.1     0.6966     
6     10.511     2.9     1.94595      18.0     0.6319     
7     27.733     (可変)
8(絞り)    ∞     (可変) 
9*    10.366     3.73    1.59201      67.0     0.8499     
10*  -73.645     0.15 
11    11.504     3.64    1.43875      94.9     0.8373     
12   -11.103     0.32 
13   -19.425     0.4     1.69895      30.1     0.6966     
14     4.972     1.37    1.88300      40.8     0.7381     
15     7.837     (可変) 
16*    5.089     2.8     1.55332      71.7     0.8164     
17*   17.126     (可変) 
18        ∞     1.7     1.51633      54.1     -     
19        ∞     0.62
像面
【００８５】
非球面データ                              
第9面                              
K  =-6.04458e-001  A 4=-6.41371e-005  A 6= 7.18786e-007 
A 8=-7.50103e-008  A10=-1.51296e-009 
第10面                              
K  = 0.00000e+000  A 4= 8.05633e-005  A 6= 4.08556e-006 
A 8=-2.18138e-007  A10= 2.79999e-009 
第16面                              
K  = 0.00000e+000  A 4= 5.09719e-005  A 6= 9.66019e-006 
A 8=-8.37614e-008  A10= 2.37850e-008  A12= 4.43637e-021 
第17面                              
K  = 0.00000e+000  A 4= 2.12830e-003  A 6= 6.49444e-005 
A 8= 1.08492e-006  A10= 2.07340e-007 
【００８６】
各種データ                              
ズーム比      2.41                          
広角     中間     望遠               
焦点距離        2.59     4.42     6.24               
Fナンバー       1.24     1.57     1.90               
半画角（度）   70.3     39.1     27.4               
像高            3.0      3.0      3.0               
レンズ全長     55.95    44.71    41.38               
BF              4.55     6.83     9.04               
間隔           広角     中間     望遠               
d 7           18.79     6.55     2.22               
d 8            4.25     3.20     2.15               
d15            1.99     1.76     1.6               
d17            2.81     5.09     7.30              
各群焦点距離                              
1群     -8.2                         
2群     14.56                         
3群     12.09                         
【００８７】
［実施例４］
単位 mm
面データ                              
面番号   r        d        nd          νd      θＣｔ     
1     19.998     1.1      2.00100      29.1     0.6835     
2      9.8       4.89 
3*    39.03      0.9      1.85135      40.1     0.7361     
4*     8.488     3.49 
5     25.417     2.52     1.52249      59.8     0.8326     
6    -30.904     1.3 
7    -13.249     0.6      1.48749      70.2     0.8924     
8     16.581     2.2      1.94595      18.0     0.6319     
9     67.783     (可変)
10(絞り)  ∞     (可変)
11*   11.371     3.79     1.62299      58.1     0.8464     
12*  -84.147     0.15 
13     8.351     4.4      1.43700      95.1     0.8427     
14   -28.613     0.6      1.80518      25.4     0.6680      
15    12.613     (可変) 
16     7.955     0.75     1.80518      25.4     0.6680      
17     4.645     3.2      1.69350      53.2     0.8143     
18*  194.725     (可変) 
19        ∞     1.2      1.51633      64.1     -     
20        ∞     1.75
像面                              
【００８８】
非球面データ                              
第3面                              
K  = 5.19045e+000  A 4= 3.14005e-004  A 6=-5.92273e-006 
A 8= 8.08528e-008  A10=-6.68118e-010  A12= 2.50048e-012 
第4面                              
K  = 0.00000e+000  A 4= 2.31240e-004  A 6=-5.86228e-006 
A 8= 4.44980e-008  A10=-6.72826e-010
第11面                              
K  =-5.65257e-001  A 4= 7.78684e-005  A 6= 4.48090e-006 
A 8=-1.16430e-007  A10= 3.41115e-009  A12=-8.78512e-012 
第12面                              
K  = 0.00000e+000  A 4= 1.40914e-004  A 6= 5.75346e-006 
A 8=-1.82577e-007  A10= 5.39920e-009  A12= 8.03250e-021 
第18面                              
K  = 0.00000e+000  A 4= 7.99389e-004  A 6= 1.73784e-006 
A 8= 4.40833e-007  A10=-1.00417e-008 
【００８９】
各種データ                              
ズーム比      2.32                          
広角     中間     望遠               
焦点距離        2.51     4.14     5.82               
Fナンバー       1.23     1.48     1.75               
半画角（度）   62.1     39.7     28.9               
像高            3.05     3.05     3.05               
レンズ全長     60.52    48.86    44.86               
BF              4.54     6.79     9.03               
間隔           広角     中間     望遠               
d 9          19.45     7.78     3.79               
d10           4.04     2.1      0.15               
d15           2.6      2.3      2.0               
d18           2.0      4.25     6.49               
各群焦点距離                              
1群     -8.01                         
2群     14.86                         
3群     13.28                         
【００９０】
【表１】
0006545002.tif 000003
【符号の説明】
【００９１】
Ｌ０        ズームレンズ    Ｌ１        第１レンズ群
Ｌ２        第２レンズ群    Ｌ３        第３レンズ群
【図１】
0006545002.tif 000004
【図２】
0006545002.tif 000005
【図３】
0006545002.tif 000006
【図４】
0006545002.tif 000007
【図５】
0006545002.tif 000008
【図６】
0006545002.tif 000009
【図７】
0006545002.tif 000010
【図８】
0006545002.tif 000011
【図９】
0006545002.tif 000012
【図１０】
0006545002.tif 000013